(57)【要約】      （修正有）【課題】取り扱いが容易で、価格的にも安価であり、しかも美感にも優れた手芸品構成体を提供する。【解決手段】一または複数枚の不織布からなる接着芯５と、接着芯５の一面に展着されたペーパーナプキン７および／または和紙と、これらの外面の全部または一部を覆うネット８を有する手芸品構成体４であって、人形やバッグ、ポーチ等の手芸品を製作するためのものであり、接着芯５を構成する不織布としては、例えばパネロン（ダイニック株式会社の登録商標）が用いられる。【選択図】図１
0003150676.tif 000002
【実用新案登録請求の範囲】
【請求項１】
一または複数枚の不織布からなる接着芯と、接着芯の一面に展着されたペーパーナプキンおよび／または和紙と、これらの外面の全部または一部を覆うネットとを有する手芸品構成体。
【請求項２】
接着芯となる不織布がパネロン（ダイニック株式会社の登録商標）である、請求項１記載の手芸品構成体。
【考案の詳細な説明】
【技術分野】
【０００１】
本考案は、人形、バッグ、ポーチ等の手芸品を作るのに用いられる手芸品構成体に関する。
【背景技術】
【０００２】
手芸品を作るのに使用される構成材料として、紙、布、レザー、或いは合成樹脂シート等の種々のものが用いられており、そして、これらはその質感や美感、或いは使い易さ、価格等を総合的に判断して選ばれている。
【０００３】
例えば、人形用衣装としては、布帛の表面に可逆熱変色性材料と発泡剤とを含むインキにより像を形成した後、これを加温することによって前記像を発泡させて可逆熱変色性発泡樹脂像を形成せしめた熱変色性布帛が知られている。
【０００４】
また他の人形用衣装としては、エチレン酢酸ビニル共重合体やスチレン−ブタジエン−スチレン、スチレン−イソプレン−スチレン等のエラストマー材料等を用いたものも知られている。
【０００５】
更に、人形としては、適当な通気小孔を形成した、硬質合成樹脂製薄板、紙或いは厚紙等からなる筒体に頭部等を取り付け、これに布、紙等からなる衣服を装着させたものが知られている。
【先行技術文献】
【特許文献】
【０００６】
【特許文献１】特開平１１−７６６２８
【特許文献２】特開平１１−３３３１４９
【特許文献３】特開２００６−８７６８０
【考案の概要】
【考案が解決しようとする課題】
【０００７】
前述した従来技術のうち、可逆熱変色性発泡樹脂像を形成せしめる熱変色性布帛の場合、布帛の表面に可逆熱変色性材料と発泡剤とを含むインキによって所望の像をうまく形成するのに、かなりの熟練を要することから、趣味で手芸を行う人にとっては、取り扱い難いという問題があった。
【０００８】
エチレン酢酸ビニル共重合体等のエラストマー材料等の場合も、前記と同様に、所望のデザインを得るには、かなりの熟練を要する上、価格的にも高価になるという問題もあった。
【０００９】
この他、硬質合成樹脂製薄板、紙或いは厚紙等からなる筒体に頭部等を取り付け、布、紙等からなる衣服を装着させた人形の場合、形態がこけしに類似するものとなり、美感に欠けるという欠点があった。
【００１０】
本考案は、前述したような問題に鑑みてなされたものであって、その目的は、取り扱いが容易で、価格的にも安価であり、しかも美感にも優れた手芸品構成体を提供することにある。
【課題を解決するための手段】
【００１１】
請求項１の本考案は、一または複数枚の不織布からなる接着芯と、接着芯の一面に展着されたペーパーナプキンおよび／または和紙と、これらの外面の全部または一部を覆うネットを有する手芸構成体である。
接着芯同士や接着芯とペーパーナプキン、或いはこれを覆うネットは、通常、ボンド等を介して接着される。
【００１２】
ペーパーナプキンは、通常、絵柄が入った市販のものを使用すれば良く、その種類や形状、デザイン等は特に限定されない。
【００１３】
ネットは、製作する手芸品の種類やデザインによって種々の網目、材種のものが使用されるが、例えば光沢を有する合成繊維製のものが好適である。
【００１４】
請求項２記載の手芸品構成体は、前記請求項１記載の手芸品構成体について、接着芯となる不織布がパネロン（ダイニック株式会社の登録商標）であることを特徴とするものである。
【００１５】
パネロンは、ダイニック株式会社製の不織布であって、一面にのりがコーティングされたタイプと該コーティングがされていないタイプものがあり、いずれも使用することができる。また、パネロンは、薄手タイプから厚手タイプまで種々の厚さのものがあり、薄手タイプの場合、二枚または三枚を重ねて使用することが多い。
【００１６】
パネロンの種類は、特に限定されないが、例えば帯芯等として使用されるＢＬ３０４５０やＢＬ４５０が挙げられる。
【００１７】
ネットも、その網目のサイズや種類は特定に限定されるものではなく、また本考案におけるネットとは、網目状の他、反対側が透けて見えるオーガンジーも含まれる。
【００１８】
また、本考案に係る手芸品構成体は、不織布からなる接着芯と、接着芯の一面に展着されたペーパーナプキンおよび／または和紙と、これらの外面の全部または一部を覆うネットで構成されるが、これら以外の材料が付け加えられたものも含まられる。具体的には、ネットの表面に塗布される光沢性塗料やスパンコール等である。
【考案の効果】
【００１９】
本考案に係る手芸品構成体によれば、不織布からなる接着芯によって適度の柔らかさを備えつつ、所望の形態が維持され、またこの効果はパネロンを使用した場合に特に顕著である。
【００２０】
そして、前記不織布からなる接着芯の表面にペーパーナプキンおよび／または和紙を展着することによって、ペーパーナプキンや和紙が有するデザイン性や質感が得られる。特に、ペーパーナプキンは種々の形状や絵柄のものが市販されているため、これを容易に利用することができる。またペーパーナプキンは、薄手で軽いため、前記不織布からなる接着芯によって簡単且つ確実に支持されるという利点がある。
【００２１】
ネットは、手芸品の外観を装飾して美感を高めるという効果を有すると共に、前記接着芯およびペーパーナプキン等を上から押えるという作用を有する。
【図面の簡単な説明】
【００２２】
【図１】手芸品構成体の一部切欠平面図である。
【図２】実施形態における人形の正面図である。
【図３】手芸品構成体の拡大図である。
【図４】手芸品構成体の断面図である。
【考案を実施するための形態】
【００２３】
次に、本考案の手芸品構成体を用いた人形の実施形態について、図面にしたがって説明するが、本考案はかかる実施形態に限定されるものではない。
【００２４】
図２は本実施形態に係る手芸品構成体を用いた人形１の正面図である。人形１は、帽子２を被り、ドレス３を着た女性を形成したものである。
【００２５】
ドレス３は本考案の手芸品構成体４を多数枚用いて形成されており、図１、図３および図４に示すように、手芸品構成体４は、一枚のパネロンの外形を円形にすると共にその中央部分に４つの滴状透孔６を放射状に形成した接着芯５と、接着芯５の表面にボンドで接着された花柄のペーパーナプキン７と、接着芯５およびペーパーナプキン７を覆うネット８とで構成されている。
【００２６】
なお、前記各手芸品構成体４は、金属線材で箱型に形成された枠体（図示せず）に固着されることでドレス３を形成している。
【産業上の利用可能性】
【００２７】
本考案にかかる手芸品構成体は、取り扱いが容易で、価格的にも安価であり、しかも美感にも優れていることから、この種手芸分野で幅広い利用が期待できる。
【符号の説明】
【００２８】
１  人形
２  帽子
３  ドレス
４  手芸品構成体
５  接着芯
６  滴状透孔
７  ペーパーナプキン
８  ネット
【図１】
0003150676.tif 000003
【図２】
0003150676.tif 000004
【図３】
0003150676.tif 000005
【図４】
0003150676.tif 000006